(57)【要約】【課題】１種類のカードしか挿入できないようにしたマルチメモリーカードリーダ装置を提供することを課題とする。【解決手段】上下方向にカードスロットＡ，Ｂ，Ｃを配置し且つ側方に指標Ａ，Ｂ，Ｃを付した器枠２の前面に，１スロット開口シャッターを上下に摺動自在に設ける。１スロット開口シャッター１には前記カードスロットＡ，Ｂ，Ｃの各寸法と同一又は若干大きい寸法の挿入スロットａ，ｂ，ｃをカードスロットとは異なるしめた間隔で配置しその側方にａ，ｂ，ｃの指標を付す。【選択図】　図１
2004070639.tif 000002
【特許請求の範囲】
【請求項１】
複数のカードスロットを上下方向に配置したマルチメモリーカードリーダ装置において、カードスロットの前方に上下にスライド可能の１スロット開口シャッターを設けたことを特徴とするマルチメモリーカードリーダ装置。
【請求項２】
複数のカードスロットを上下方向に配置したマルチメモリーカードリーダ装置において、カードスロットの前方に端部を本体に枢着した揺動部材を両側に備えた１スロット開口シャッターを回動自在に設けたことを特徴とするマルチメモリーカードリーダ装置。
【請求項３】
１スロット開口シャッターは、カードスロットの大きさと同一の挿入スロットを同じ順序で配置すると共にその挿入スロットの配置をカードスロットの配置間隔とは異ならしめたことを特徴とする請求項１または２記載のマルチメモリーカードリーダ装置。
【発明の詳細な説明】
【０００１】
【発明の属する技術分野】
本発明は、スマートメディア、コンパクトフラッシュ（登録商標）、メモリースティック、ＳＤカード、ＭＭＣマイクロドライブなどの２種類以上の大きさの異なるカードスロットを有するマルチメモリーカードリーダ装置に関し、詳しくは１種類のカードを挿入した時、他のカードスロットにはカードを挿入できないようにしたマルチメモリーカードリーダ装置に関するものである。
【０００２】
【従来の枝術】
周知のように、マルチメモリーカードリーダ装置は、各メモリーカード専用のカードスロットを複数並設したものであるが、２種類以上のメモリーカードを誤挿入すると、回路がフリーズしてしまうことがあった。
【０００３】
【発明が解決しようとする課題】
そこで、本発明は、１種類のカードが挿入された場合、他のカードスロットにはカードが挿入できなくなるようになる、即ち１種類のメモリーカードしか挿入できないようにしたマルチメモリーカードリーダ装置を提供することを課題とするものである。
【０００４】
【課題を解決するための手段】
本発明は、上記の課題を解決するためになされたもので、複数のカードスロットを上下方向に配置したマルチメモリーカードリーダ装置において、カードスロットの前方に上下にスライド可能の１スロット開口シャッターを設けたものである。
【０００５】
１スロット開口シャッターは、前途のように上下スライド方式の構造にするのが一般的であるが、端部を本体に枢着した揺動部材を両側に備えた１スロット開口シャッターを回動自在に設けるようにしてもよい。
【０００６】
１スロット開口シャッターは、カードスロットの大きさと同一の挿入スロットを同じ順序で配置すると共に、その挿入スロットの配置をカードスロットの配置間隔とは異ならしめ、同種のカードスロットと１スロット開口シャッターの挿入スロットとが重なった時は，他のカードスロットは１スロット開口シャッターの挿入スロット以外の部分でカバーされるように構成されたものとする。
【０００７】
【発明の実施の形態】
【実施例１】
図１は、上下スライドタイプの１スロット開口シャッター１を使用する場合の本発明の一実施例の正面図を示すもので、１スロット開口シャッター１は器枠２の前面に上下に摺動自在に設けられ，図示しないが、クリックストップ装置により所定位置に止めることが出来るように構成されている。
【０００８】
器枠２の正面には、図２に示すようにメモリーカードの種類に応じた寸法の異なる３種類のカードスロットＡ、カードスロットＢ、カードスロットＣが設けられていて、その側方にＡ、Ｂ、Ｃの指標が付されている。そして、１スロット開口シャッター１には前記カードスロットＡ、Ｂ、Ｃの各寸法と同一又は若干大きい寸法の挿入スロットａ，ｂ，ｃが、カードスロットとは異ならしめた間隔で配置され、その側方にａ，ｂ，ｃの指標が付されていて、例えば、指標ｂを指標Ｂに合致させて挿入スロットｂを対応するカードスロットＢに合致させると、他のカードスロットＡ、Ｃは１スロット開口シャッター１の挿入スロット以外の部分でカバーされて、メモリーカードの挿入が出来なくなるように構成されている。
【０００９】
従って、本装置によれば１種類のメモリーカードしか挿入できないので、誤挿入による回路のフリーズを未然に防止することができる。
【００１０】
図３は、１スロット開口シャッターを回動タイプとした場合の実施例の分解斜視図を示すもので、１１は１スロット開口シャッター、１２は前部を円筒曲面１２ａとし、そこに、ＭＳ（メモリースチック）及びＳＤカード兼用のカードスロットＡとＳＭ（スマートメディア）用カードスロットＢと、ＣＦ（コンパクトフラッシュ（登録商標））用のカードスロットＣを設け，且つ前部両側に軸孔１２ｂを設けた器枠である。
【００１１】
１スロット開口シャッター１１は、樋状に構成され，その両側内面に前記軸孔１２ｂに嵌合する軸１３，１３を設けた円盤状の揺動盤１４，１４を備えると共に前記実施例の場合と同様の要領で設けた挿入スロットａ，ｂ，ｃを穿設して成り、器枠１２の前部に揺動自在に取付けられ、何れかの挿入スロットをカードスロットに合致させた時は、他の挿入スロットは挿入スロット以外の部分でカバーされることは前記実施例の場合と同様である。
【００１２】
図４は、挿入スロットｂをカードスロットＢに合致させＭＳ（メモリースティック）又はＳＤカードを挿入可能とした場合で、他のカードスロットＡ，Ｃは１スロット開口シャッター１１の挿入スロット以外の部分でカバーされてメモリーカードを挿入できない状態になっている。
【００１３】
図５は、挿入スリットａをカードスロットＡに合致させてＳＭ（スマートメディア）のみを挿入出来る状態とした場合の斜視図を示し、図６は挿入スリットｃをカードスロットＣに合致させてＣＦ（コンパクトフラッシュ（登録商標））のみを挿入出来る状態とした場合の斜視図を示すものである。
【００１４】
【発明の効果】
以上説明したように本発明によれば、１種類のカードが挿入された場合、他のスロットにはカードが挿入出来なくなり、誤挿入による回路のフリーズを未然に防止することができる。
【図面の簡単な説明】
【図１】本発明の実施例１の正面図。
【図２】実施例１の分解正面図。
【図３】本発明の実施例２の分解斜視図。
【図４】ＭＳ又はＳＤを挿入可能とした場合の実施例２の斜視図。
【図５】ＳＭを挿入可能とした場合の実施例２の斜視図。
【図６】ＣＦを挿入可能とした場合の実施例２の斜視図。
【符号の説明】
１、１１　　　　１スロット開口シャッター
２，１２　　　　器枠
１３　　　　　　軸
１４　　　　　　揺動盤
【図１】
2004070639.tif 000003
【図２】
2004070639.tif 000004
【図３】
2004070639.tif 000005
【図４】
2004070639.tif 000006
【図５】
2004070639.tif 000007
【図６】
2004070639.tif 000008